(57)【要約】【課題】薄肉化と、機械的強度の確保とを実現したブロック体、及び、これを用いた雨水等貯留浸透施設を提供する。【解決手段】基体部１０は、コンクリート材料を主成分とする六面体であって、その中空部１００が、非球形形状、又は、非円筒形形状である。例えば、開口部１３、１４は、隣接する側面１０３ａ、ｂに備えられ、中空部１００に貫通している。開口部１３は、直交する二方向に、相対向して平行する二辺１３１、１３１と、二辺１３２、１３２とを有する。二辺１３１、１３１と、二辺１３２、１３２とは、設置面たる側面１０３において、隣接する辺と平行である。二辺１３１、１３１と、二辺１３２、１３２とが互いに交差する隅部１３３は、斜状、又は、弧状である。  上述したブロック体は、その複数が組み合わされ、地中に埋設されることにより、雨水等貯留浸透施設を構成する。【選択図】図１
2007107342.tif 000002
【特許請求の範囲】
【請求項１】
基体部と、中空部と、少なくとも二つの開口部とを有する雨水等貯留浸透施設用コンクリートブロック体であって、
前記基体部は、コンクリートを主成分とする六面体であり、
前記中空部は、非球形形状、又は、非円筒形形状であって、前記基体部の内部に備えられており、
前記開口部は、前記基体部において異なる二側面に備えられ、前記中空部に貫通しており、
前記開口部の少なくとも一つは、直交する二方向に、相対向して平行する二辺を有し、
前記二辺のそれぞれは、前記側面の辺と平行であり、
前記二辺の組が互いに交差する隅部は、斜状、又は、弧状であって、前記側面の隅に対応する箇所に備えられている、
コンクリートブロック体。
【請求項２】
請求項１に記載されたブロック体であって、前記基体部は、相対向する側面の少なくとも一方の周縁に段差を有する、
コンクリートブロック体。
【請求項３】
複数のブロック体を含む雨水等貯留浸透施設であって、
前記ブロック体は、請求項１又は２に記載されたものでなり、その複数が組み合わされ、地中に埋設されている、雨水等貯留浸透施設。
【請求項４】
請求項３に記載された雨水等貯留浸透施設であって、
前記複数のブロック体は、縦方向、横方向、又は、高さ方向の少なくとも一方向に配置されている、雨水等貯留浸透施設。
【請求項５】
請求項３又は４に記載された雨水等貯留浸透施設であって、さらにマンホール斜壁ブロックを含み、
前記マンホール斜壁ブロックは、ブロック体に載置されている、
雨水等貯留浸透施設。
【発明の詳細な説明】
【技術分野】
【０００１】
本発明は、雨水等貯留浸透施設用コンクリートブロック体、及び、これを用いた雨水等貯留浸透施設に関する。本発明において「雨水等貯留浸透施設」とは、集水した雨水等の貯留空間として地中に設置される貯留施設と、集水した雨水等を一時的に貯留してのち、地中に緩やかに浸透させて排出する浸透施設とを含む。
【背景技術】
【０００２】
この種の雨水等貯留浸透施設において貯留空間が地中に形成される場合、貯留空間の内部には壁面の崩落を防止するため、通常、何らかの構造体が備えられる。例えば、特許文献１を参照すると、貯留空間には、合成樹脂板を組み合わせた構造体の複数が、縦横に平面配置されるともに、さらに高さ方向に積み重ねられている。
【０００３】
ところで、雨水等貯留浸透施設には、稼動期間中、雨水ともに塵埃等が流入し、貯留空間の底部に配置された構造体の内部に堆積し続けることなるから、この堆積物をドレインホース等で定期的に除去するなどの保守管理作業により、施工当初の容積を維持することが重要になる。
【０００４】
このような保守管理作業を行うため、雨水等貯留浸透施設には、作業員が貯留空間に侵入するためのコンクリートマンホールが備えられる。しかし、上述したように貯留空間には、複数の構造体が縦横に平面配置されている。しかも、この種の構造体は、土圧や、積み重ねられた構造体からの荷重に耐えうる機械的強度を備えるため、密に組み合わされる傾向にあるから、作業員が構造体の内部を縦横に移動することができない。従って、従来、貯留空間に堆積した塵埃等を効果的に除去することができなかった。
【０００５】
さらに、この種の構造体は、通常、合成樹脂材料でなるから、コンクリートマンホールを支持しうるだけの機械的強度は有していない。従って、堆積物の除去作業を完全に行うためには、貯留空間の外縁に沿ってマンホールを多数設置しなければならないこととなり、コスト高を招く。
【０００６】
上述した問題点を解消する手段として、例えば、特許文献２及び３は、コンクリートブロック体、及び、これを用いた雨水等貯留浸透施設を開示している。
【０００７】
特許文献２には、立方体の外郭を持つともに、その内部をほぼ球状のキャビティを有するとともに、立方体の各側面に円形の開口が形成されたコンクリートブロック体が開示されている。
【０００８】
また、特許文献３には、立方体からなるブロック内部に、全ての外面に貫通した中空部を有するコンクリートブロック体であって、中空部は、同一外径の円柱状の分割中子をその軸線方向が直交及び一致するようにそれぞれ配置して形成したコンクリートブロック体が開示されている。
【０００９】
しかし、特許文献２及び３によっても、上述した問題点を充分に解決しているとはいえない。例えば、コンクリートブロック体は地中に埋設されるものであるから、開口部の周囲の支持壁部分を肉厚化して機械的強度を確保する必要がある。一方、保守管理作業における作業員の移動スペースを確保するためには、前記支持壁部分は可能な限り薄肉化する必要がある。この相反する二つの点について、特許文献２及び３では、改善の余地が認められる。
【特許文献１】特開２００５−５４４０３号公報
【特許文献２】特許第２９４２７４５号公報
【特許文献３】特開平２９４２７４６号公報
【発明の開示】
【発明が解決しようとする課題】
【００１０】
本発明の課題は、作業員の移動スペースを確保しうるともに、優れた機械的強度を有する雨水等貯留浸透施設用コンクリートブロック体、及び、これを用いた雨水等貯留浸透施設を提供することである。
【００１１】
本発明のもう一つの課題は、薄肉化、及び、軽量化が実現されている雨水等貯留浸透施設用コンクリートブロック体、及び、これを用いた雨水等貯留浸透施設を提供することである。
【００１２】
本発明の更にもう一つの課題は、製造コスト、及び、輸送コストを低減しうる雨水等貯留浸透施設用コンクリートブロック体、及び、これを用いた雨水等貯留浸透施設を提供することである。
【課題を解決するための手段】
【００１３】
上述した課題を解決するため、本発明に係る雨水等貯留浸透施設用ブロック体（以下、単にブロック体と称する）は、基体部と、中空部と、少なくとも二つの開口部とを有する。基体部は、コンクリート材料を主成分とする六面体である。中空部は、非球形形状、又は、非円筒形形状であって、基体部の内部に備えられている。開口部は、基体部において異なる二側面に備えられ、中空部に貫通している。開口部の少なくとも一つは、直交する二方向に、相対向して平行する二辺を有する。二辺それぞれは、設置面たる側面において、隣接する辺と平行である。二辺の組が互いに交差する隅部は、斜状、又は、弧状であって、側面の隅に対応する箇所に備えられている。
【００１４】
上述したように本発明に係るブロック体において、基体部はコンクリートを主成分とするから、製造コストを低減することができるともに、優れた機械的強度を有する。しかも、基体部は六面体であるから安定性に優れており、運送作業、及び、配置作業を効率的に行うことができる。
【００１５】
また、少なくとも二つの開口部は、基体部において異なる二側面に備えられ、中空部に貫通している。この構成によると、作業員が、一方の開口部を通じて中空部に侵入することができるともに、他方の開口部を通じて他の方向に移動することができる。
【００１６】
上述した構成、及び、作用効果は、特許文献２及び３でも知られている。本発明に係るブロック体は、上述した構成に加え、開口部の形状に工夫を加えた点に特徴がある。即ち、本発明に係るブロック体において、開口部の少なくとも一つは、直交する二方向に、相対向して平行する二辺を有する。二辺のそれぞれは、設置面たる側面において、隣接する辺と平行である。二辺の組が互いに交差する隅部は、斜状、又は、弧状であって、側面の隅に対応する箇所に備えられている。端的に言うと、本発明に係るブロック体の開口部は、開口面形状が略八角形形状であって、二辺の組が互いに交差する隅部を有するから、二辺の組の間隔を広く確保することができる。従って、作業員の移動スペースを十分に確保することができる。
【００１７】
しかも、開口部において、二辺の組が互いに交差する隅部は、斜状、又は、弧状であるから、優れた機械的強度を備えることができる。
【００１８】
さらに、二辺の組が互いに交差する隅部は、斜状、又は、弧状であって、側面の隅に対応する箇所に備えられている構成によると、例えば、開口部が円形形状である場合と比較して重量ロスを低減することができる。従って、適当な機械的強度を維持したままで、全体重量の軽量化を実現し、輸送コスト、及び、製造コストを低減することができる。
【００１９】
本発明に係るブロック体は、その複数が組み合わされ、地中に埋設されることにより、雨水等貯留浸透施設を構成する。従って、本発明に係る雨水等貯留浸透施設は、上述したブロック体の利点を全て含むことができる。例えば、本発明に係る雨水等貯留浸透施設において、ブロック体の内部に作業員の移動スペースが確保されているから、貯留空間の下面において広範囲に堆積した堆積物を、効率的に除去することができる。
【００２０】
本発明の他の目的、構成及び利点については、添付図面を参照し、更に詳しく説明する。添付図面は、単に、例示に過ぎない。
【発明の効果】
【００２１】
以上述べたように、本発明によれば、次のような効果を得ることができる。
（１）作業員の移動スペースを確保しうるともに、優れた機械的強度を有する雨水等貯留浸透施設用ブロック体、及び、これを用いた雨水等貯留浸透施設を提供することができる。
（２）薄肉化、及び、軽量化が実現されている雨水等貯留浸透施設用ブロック体、及び、これを用いた雨水等貯留浸透施設を提供することができる。
（３）本発明の更にもう一つの課題は、製造コスト、及び、輸送コストを低減しうる雨水等貯留浸透施設用ブロック体、及び、これを用いた雨水等貯留浸透施設を提供することができる。
【発明を実施するための最良の形態】
【００２２】
図１は本発明の一実施形態に係るブロック体の斜視図、図２は図１に示したブロック体の正面図、図３は図２の３−３線に沿った断面図である。図１乃至図３を参照すると、本発明の一実施形態に係るブロック体は、基体部１０と、中空部１００と、第１〜第６の開口部１１〜１６とを有する。
【００２３】
基体部１０は、コンクリートを主成分とする六面体である。基体部１０には、一般的なコンクリートのほかに、珪砂にポリエステル樹脂（ＰＰ）等の合成樹脂材料を混合したレジンコンクリートを用いることもできる。
【００２４】
図１乃至図３に示したブロック体において、基体部１０は、例えば一辺が９００〜１１００ｍｍ程度の立方体であって、矢印Ｈで示す高さ方向に相対向する上面１０１、及び、下面１０２の２面と、矢印Ｌで示す縦方向、及び、矢印Ｗで示す横方向にそれぞれ相対向する四つの側面１０３ａ〜ｄを有する六面体である。さらに、基体部１０は、相対向する上面１０１、及び、下面１０２の周縁に段差１０４を有する。
【００２５】
中空部１００は、非球形形状、又は、非円筒形形状であって、基体部１０の内部に備えられている。図１乃至図３に示す中空部１００は、二つの八角柱状の空間が、縦方向Ｌ、及び、横方向Ｗに直交する内部空間であって、基体部１０の中心と同心上に備えられている。
【００２６】
第１の開口部１１は、上面１０１に備えられ、中空部１００に貫通している。図１乃至図３に示す第１の開口部１１は、例えば直径が６００ｍｍ程度の円形形状であるから、例えば、作業員が第１の開口部１１を通じて中空部１００に出入りすることができる。
【００２７】
第２の開口部１２は、下面１０２において、第１の開口部１１に相対向して備えられている。図１乃至図３に示す第２の開口部１２は、第１の開口部１１と同様の基本的構成を有する。
【００２８】
第３〜第６の開口部１３〜１６のそれぞれは、基体部１０において縦方向Ｌ、及び、横方向Ｗに相対向する四つの側面１０３ａ〜ｄに備えられ、中空部１００に貫通している。
【００２９】
より詳細に説明すると、まず、第３の開口部１３は、四つの側面１０３ａ〜ｄの１側面１０３ａに備えられている。第３の開口部１３は、横方向Ｗに相対向して平行する二辺１３１、１３１と、横方向Ｗに直交する高さ方向Ｈに相対向して平行する二辺１３２、１３２を有する。二辺１３１、１３１、及び、二辺１３２、１３２のそれぞれは、設置面たる側面１０３ａにおいて、隣接する辺と平行である。
【００３０】
二辺１３１、１３１、及び、二辺１３２、１３２の組が互いに交差する部分は、隅部１３３となっている。隅部１３３は、斜状、又は、弧状のテーパ面であって、側面１０３ａの四隅に対応する箇所にそれぞれ備えられている。図１乃至図３に示す第３の開口部１３は、略正八角形形状であって、二辺１３１、１３１は、向かい合う隅部１３３の終点を直線状に結ぶように形成されている。矢印Ｄ１で示す二辺１３１、１３１の間隔は、６００ｍｍ程度であるから、例えば、作業員が第３の開口部１３を通じて中空部１００に出入りすることができる。
【００３１】
第４の開口部１４は、側面１０３ａと隣接する側面１０３ｂに備えられている。第４の開口部１４は、第３の開口部１３と同様の基本的構成を有する。即ち、第４の開口部１４は、縦方向Ｌにおいて相対向して平行する二辺１４１、１４１と、高さ方向Ｈにおいて相対向して平行する二辺１４２、１４２と、隅部１４３とを有する略正八角形形状であって、二辺１４１、１４１の間隔Ｄ１は６００ｍｍ程度である。
【００３２】
第５の開口部１５は、側面１０３ａと相対向する側面１０３ｃに備えられており、相対向する第３の開口部１３と同様の基本的構成を有する。即ち、第５の開口部１５は、横方向Ｗにおいて相対向して平行する二辺１５１、１５１と、高さ方向Ｈにおいて相対向して平行する二辺１５２、１５２と、隅部１５３とを有する。
【００３３】
また、第６の開口部１６は、側面１０３ｂと相対向する側面１０３ｄに備えられており、相対向する第４の開口部１４と同様の基本的構成を有する。即ち、第６の開口部１６は、縦方向Ｌにおいて相対向して平行する二辺１６１、１６１と、高さ方向Ｈにおいて相対向して平行する二辺１６２、１６２と、隅部１６３とを有する。
【００３４】
図１乃至図３に示したブロック体において、第１及び第２の開口部１１、１２は、第３〜第６の開口部１３〜１６と同様の構成を有することができる。
【００３５】
上述したように、図１乃至図３の実施形態に係るブロック体において、基体部１０はコンクリートを主成分とするから、製造コストを低減することができるともに、優れた機械的強度を有する。しかも、基体部１０は六面体であるから安定性に優れており、運送作業を効率的に行うことができる。
【００３６】
また、少なくとも二つの開口部、例えば、第１及び第３の開口部１１、１３のそれぞれは、基体部１０において隣接する上面１０１と、側面１０３ａとに備えられており、且、中空部１００に貫通している。この構成によると、ブロック体は、異なる面に第１及び第３の開口部１１、１３を有するから、例えば、第１の開口部１１を通じて中空部１００に侵入することができるともに、第３の開口部１３を通じて他の方向に移動することができる。
【００３７】
本発明の一実施形態に係るブロック体は、上述した構成に加え、開口部の形状に工夫を加えた点に特徴がある。以下、説明の都合上、第３の開口部１３を例に説明すると、第３の開口部１３は、二辺１３１、１３１と、二辺１３２、１３２と、隅部１３３とを有する。二辺１３１、１３１と、二辺１３２、１３２とは、それぞれ設置面たる側面１０３ａを構成する辺に平行している。隅部１３３は、斜状のテーパ面であって、二辺１３１、１３１と、二辺１３２、１３２との交差する部分において、側面１０３ａの四隅に対応する箇所に備えられている。
【００３８】
端的に言うと、第３の開口部１３は、開口面形状が略八角形形状であって、二辺１３１、１３１、及び、二辺１３２、１３２の組が互いに交差する隅部１３３を有するから、二辺１３１、１３１、及び、二辺１３２、１３２の間隔Ｄ１を広く確保することができる。従って、作業員の移動スペースを十分に確保することができる。
【００３９】
しかも、第３の開口部１３において、隅部１３３は、斜状、又は、弧状であるから、優れた機械的強度を備えることができる。
【００４０】
さらに、隅部１３３は、斜状、又は、弧状であって、側面１０３ａの四隅に対応する箇所に備えられている構成によると、例えば、図３に示すように第３の開口部１３が円形形状Ｃである場合と比較して重量ロスとなる領域Ｔを削減することができる。従って、適当な機械的強度を維持したままで、全体重量の軽量化を実現し、もって、輸送コスト、さらには製造コストを低減することができる。
【００４１】
中空部１００は、第３の開口部１３を端面とし、縦方向Ｌに延びる略八角柱状の空間と、第４の開口部１４を端面とし、横方向Ｗに延びる略八角柱状の空間とが、直交する内部空間である。この構成によると、中空部１００が球形形状、又は、円筒形状の場合と比較して、適当な機械的強度を維持したままで、中空部１００の容積を広く確保することができる。
【００４２】
また、中空部１００の容積を広く確保することができることにより、軽量化が図られるからブロック体の製造コスト、輸送コスト、及び、施工コストを低減することができる。
【００４３】
図１乃至図３を参照して説明したように、本発明の一実施形態に係るブロック体は、開口部の形状に工夫を加えた点に特徴を有するから、少なくとも第１〜第６の開口部１１〜１６の一つが、上述した特徴を有するものであれば、具体的な開口部の設置数、及び、設置面は、ブロック体の配置態様に合わせて適宜選択することができる。
【００４４】
上述した他の構成に係るブロック体の代表的な実施形態を図４〜図６に示す。図４〜図６は、本発明の更にもう一つの実施形態に係るブロック体の斜視図である。図４〜図６において、図１乃至図３に示した構成部分と同一の構成部分には、同一の参照符号を付す。
【００４５】
図４は、二つの開口部を有するブロック体の実施形態であって、高さ方向Ｈに開口する第１の開口部１１と、縦方向Ｌに開口する第３の開口部１３とが、隣接する上面１０１と、側面１０３ａとに備えられている。図４に示す中空部１００は、第３の開口部１３を端面とし、これが縦方向Ｌに延びる略八角柱状の内部空間である。
【００４６】
さらに、図５は、三つの開口部を有するブロック体の実施形態であって、側面１０３ｂにおいて、横方向Ｗに開口する第４の開口部１４を有する。図５に示す中空部１００は、第３の開口部１３を端面とし、縦方向Ｌに延びる略八角柱状の空間と、第４の開口部１４を端面とし、横方向Ｗに延びる略八角柱状の空間とが、端部で結合された形状を有する内部空間である。
【００４７】
さらに、図６は、四つの開口部を有するブロック体の実施形態であって、側面１０３ｃにおいて、縦方向Ｌに開口する第５の開口部１５を有する。図６に示す中空部１００は、第４の開口部１４を端面とする八角柱状体の空間が、第３及び第５の開口部１３１、１３１５を両端面とする八角柱状体の空間の中間部に、結合されている内部空間である。
【００４８】
図４乃至図６を参照して説明したブロック体は、図１乃至図３を参照して説明した利点を全て有する。なお、図４乃至図６に示したブロック体は、上下反転、及び、左右反転することによりに、第１の開口部１１、及び、第３〜第５の開口部１３〜１５の相対的な配置を変更することができる。従って、型代に係る製造コストを低減することができる。
【００４９】
図１乃至図６を参照して説明したブロック体は、複数が組み合わされて雨水等貯留浸透施設に用いられる。次に、図７〜図１１を参照して本発明の一実施形態に係るブロック体を用いた雨水等貯留浸透施設について説明する。図７は本発明の一実施形態に係る雨水等貯留浸透施設の側面断面図、図８は図７に示した雨水等貯留浸透施設の平面断面図、図９は図７及び図８に示した雨水等貯留浸透施設の内部構造を示す斜視図である。
【００５０】
また、図１０は図９に示した雨水等貯留浸透施設の一部を取り出して示す図、図１１は図９に示した雨水等貯留浸透施設の一部を拡大して示す図である。図７〜図１１において、図１乃至図６に示した構成部分と同一の構成部分には、同一の参照符号を付す。
【００５１】
図７乃至図９を参照すると、本発明の一実施形態に係る雨水等貯留浸透施設は、ブロック体１ａ〜ｃと、複数の雨水等貯留浸透施設用充填構造体２（以下、単に充填構造体２と称する）と、保護板３と、マンホール斜壁ブロック４とを含み、これらが地中Ｇにおいて、縦方向Ｌ、及び、横方向Ｗに平面配置されるともに、高さ方向Ｈに積み重ねられている。
【００５２】
図７乃至図９に示した雨水等貯留浸透施設に用いられているブロック体１ａ〜ｃについて、さらに図１０を参照して説明する。図１０に示す複数のブロック体は、開口部の設置数に応じて、ブロック体１ａ〜１ｃの３種類を含む。
【００５３】
ブロック体１ａは、図１〜図３を参照して説明したものでなり、六面全てに第１〜第６の開口部１１〜１６を有している。ブロック体１ｂは、貯留空間の底面に備えられる配置態様に応じて、ブロック体１ａの構成から第２の開口部１２を省略したものである。同様に、ブロック体１ｃは、貯留空間内での配置態様に対応して、ブロック体１ａの構成から、第１及び第２の開口部１１、１２と、第６の開口部１６を省略したものである。図１０を参照するとブロック体１ｃは、同一の構成を有する二つが、縦方向Ｌの両端において反転され、相対向して配置されている。
【００５４】
ブロック体１ａは、ブロック体１ｂの上面１０１に積み重ねられている。より詳細に説明すると、ブロック体１ａは、第２の開口部１２が、ブロック体１ｂの第１の開口部１１に位置決めして配置されることにより、その中空部１００が、ブロック体１ｂの中空部１００と連通している。
【００５５】
さらに、ブロック体１ｂ〜１ｃは、縦方向Ｌに連続して平面配置されている。より詳細に説明すると、ブロック体１ｂは、第１及び第５の開口部１３、１５のそれぞれが、縦方向Ｌに隣接するブロック体１ｃの第４の開口部１４に位置決めして配置されることにより、その中空部１００が、ブロック体１ｃの中空部１００と連通している。この構成により、組み合わされたブロック体１ａ〜１ｃの内部には、縦方向Ｌ、及び、高さ方向Ｈに連続する一体的な中空部１００−１００が形成される。
【００５６】
なお、図１０から必ずしも明らかではないが、ブロック体１ａ〜１ｃは、周知の結合具を用いて、相互に結合されていることが好ましい。
【００５７】
マンホール斜壁ブロック４は、所謂分割型マンホールに用いられる斜壁ブロックを用いることができる。マンホール斜壁ブロック４は、蓋４０を有するともに、ブロック体１ａの第１の開口部１１に位置決めして、その上面１０１に載置されている。
【００５８】
再び図７乃至図９を参照して説明する。充填構造体２は、例えば、面内に貫通孔２０を有する合成樹脂板の複数を組み合わせたものである。複数の充填構造体２は、縦方向Ｌ、及び、横方向Ｗに平面配置されるともに、高さ方向Ｈに積み重ね配置されている。図８を参照すると、充填構造体２は、縦方向Ｌに連続して配置されるともに、間隔Ｄ２ごとに複数のブロック体１ａ〜ｃが配置される。間隔Ｄ２は、例えば２０ｍ程度である。
【００５９】
充填構造体２は、生産性、及び、輸送コストの観点から用いられるものであって、充填構造体２の代わりに、例えばブロック体１ａを用いることもできる。
【００６０】
保護板３は、好ましくは合成樹脂材料でなり、充填構造体２の上面、及び、下面に備えられ、充填構造体２の内部に土砂などが流入する不都合を回避するともに、機械的強度を確保するために用いられる。
【００６１】
さらに、図１１を参照すると、図９に示すブロック体１ａと、充填構造体２との隣接部分において、充填構造体２の上面を被覆する保護板３の端部３０が、段差１０４に密着して配置されている。このようにブロック体１ａが、上面１０１及び下面１０２の周縁に段差１０４を有する構成によると、充填構造体２を密着し、且、安定して積み重ねることができる。
【００６２】
また、ブロック体１、充填構造体２、保護板３、及び、マンホール斜壁ブロック４の周囲には、通常、雨水等貯留浸透施設の用途に合わせて、遮水層（図示しない）、又は、透水層（図示しない）が備えられる。即ち、雨水等貯留浸透施設が、集水した雨水等の貯留空間として地中に設置される貯留施設である場合には、ビニールシート等の遮水層が備えられる。一方、雨水等貯留浸透施設が、集水した雨水等を一時的に貯留してのち、地中に緩やかに浸透させて排出する浸透施設である場合には不織布等の透水層が備えられる。
【００６３】
図７〜図１１を参照して説明した雨水等貯留浸透施設は、図１乃至図６を参照して説明したブロック体１の利点を全て含む。例えば、ブロック体１ａ〜ｃは、六面体であるから安定性に優れている。従って、地中Ｇに掘削された貯留空間の底面に確実に配置することができる。
【００６４】
図１乃至図３を参照して説明したように、本発明の一実施形態に係るブロック体１ａ〜ｃは、開口部の形状に工夫を加えた点に特徴がある。以下、説明の都合上、第３の開口部１３を参照して説明すると、第３の開口部１３は、直交する二方向において二辺１３１、１３１と、二辺１３２、１３２と、隅部１３３とを有する略正八角形形状であるから、優れた機械的強度を備えることができる。
【００６５】
しかも、第３の開口部１３は、略正八角形形状であって、二辺１３１、１３１は、向かい合う隅部１３３の終点を直線状に結ぶように形成されているから、保守管理作業員の移動スペースが広く確保されている。即ち、作業員は、複数のブロック体１ａ〜ｃにより一体的に形成された中空部１００−１００の内部において、第３の開口部１３を通じて、隣接するブロック体１ａ〜ｃに侵入するなど、縦方向Ｌ、横方向Ｗ、及び、高さ方向Ｗに移動することができる。従って、この種の雨水等貯留浸透施設の保守管理作業において、貯留空間の広範囲に堆積した堆積物を、ドレインホース等を用いて効率的に除去することができる。
【００６６】
また、第３の開口部１３は、二辺１３１、１３１と、二辺１３２、１３２とが交差する部分に、それぞれ隅部１３３が備えられている構成によると、機械的強度を維持したままで、全体重量の軽量化を実現することができる。従って、複数のブロック体１ａ〜ｃの平面配置作業、及び、積み重ね作業に係る施工コストを低減することができる。
【００６７】
さらに、マンホール斜壁ブロック４は、ブロック体１ａに載置されるから、例えば、充填構造体２にマンホール斜壁ブロック４を支持するだけの機械的強度がない場合であっても、雨水等貯留浸透施設に充填構造体２を用いることができるとともに、充填構造体２の内部に堆積した塵埃等を効率的に除去することができる。
【００６８】
図１２は、本発明の更にもう一つの実施形態に係るブロック体の組み合わせ態様を示す斜視図である。図１２において、図１〜図１１に示した構成部分と同一の構成部分には、同一の参照符号を付す。
【００６９】
図１乃至図１１を参照して説明したように、本発明に係るブロック体は、配置態様に応じて、第１〜第６の開口部１１〜１６の設置数、及び、設置面を適宜設定することができる。従って、図１２に示したブロック体１ａ〜ｇの組み合わせ態様においても、図１乃至図１１を参照して説明した利点を全て有する。
【００７０】
しかも、図１２に示したブロック体１ａ〜ｇは、例えば、図１乃至図６を参照して説明したブロック体１を上下反転、又は、左右反転することにより得ることができる。従って、この種のブロック体において型代に関する製造コストを低減することができる。
【００７１】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００７２】
【図１】本発明の一実施形態に係るブロック体の斜視図である。
【図２】図１に示したブロック体の正面図である。
【図３】図２の３−３線に沿った断面図である。
【図４】本発明のもう一つの実施形態に係るブロック体の斜視図である。
【図５】本発明の更にもう一つの実施形態に係るブロック体の斜視図である。
【図６】本発明の更にもう一つの実施形態に係るブロック体の斜視図である。
【図７】本発明の一実施形態に係る雨水等貯留浸透施設の側面断面図である。
【図８】図７に示した雨水等貯留浸透施設の平面断面図である。
【図９】図７及び図８に示した雨水等貯留浸透施設の内部構造を示す斜視図である。
【図１０】図９に示した雨水等貯留浸透施設の一部を取り出して示す図である。
【図１１】図９に示した雨水等貯留浸透施設の一部を拡大して示す図である。
【図１２】本発明の更にもう一つの実施形態に係るブロック体の斜視図である。
【符号の説明】
【００７３】
１（ａ〜ｆ）    ブロック体
１０            基体部
１００          中空部
１０４          切欠
１１〜１６      第１〜第６の開口部
１３１〜１６１  高さ方向において平行する二辺
１３２〜１６２  横方向において平行する二辺
１３３〜１６３  隅部
４              マンホール斜壁ブロック
【図１】
2007107342.tif 000003
【図２】
2007107342.tif 000004
【図３】
2007107342.tif 000005
【図４】
2007107342.tif 000006
【図５】
2007107342.tif 000007
【図６】
2007107342.tif 000008
【図７】
2007107342.tif 000009
【図８】
2007107342.tif 000010
【図９】
2007107342.tif 000011
【図１０】
2007107342.tif 000012
【図１１】
2007107342.tif 000013
【図１２】
2007107342.tif 000014